(57)【要約】【課題】多極で・狭ピッチであるコネクタ部の端子部のその状態を保持しながらその個々の端子へのリード線による接続を可能とすること。【解決手段】円柱状のプラグ部１と、板状のコネクタ部２と、プラグ部１及びコネクタ部２を結合する絶縁性のハウジング３と、その後方に突出するプラグ部１の端子部４と、同様に後方に突出するコネクタ部２の端子部５と、コネクタ部２の端子部５に配した接続用基板６とで構成する。端子部５は、二列に並べて配した複数の端子５ａ、５ａ…と、これらを保持する基部保持部５ｂとからなり、接続用基板６は、二列の端子５ａ、５ａ…列の間に挿入可能であり、挿入時に端子５ａ、５ａ…と個別に接触する接触用ランド５ｆ、５ｆ…と接触用ランド５ｆ、５ｆ…から延長する延長ランド５ｇ、５ｇ…とをその両面に配してある。リード線は延長ランド５ｇ、５ｇ…に半田接合可能である。【選択図】  図１
2010009749.tif 000002
【特許請求の範囲】
【請求項１】
円柱状のプラグ部と板状のコネクタ部とを、同時に各々対応するジャック又はコネクタに接続可能なように絶縁性のハウジングで結合した複合接続装置に於いて、
前記板状のコネクタ部の端子部を、該板状のコネクタ部の複数の電極に対応する同数の端子を１列又は２列に並べて前記ハウジングのプラグ部及びコネクタ部の位置する側と反対側に突出させた１列又は２列の端子列で構成し、
前記端子部に、その１列又は２列の端子列の個々の端子に片面又は両面を接触させるべく、該端子列と平行に向きを設定した接続用基板を付設し、
かつ該接続用基板の片面又は両面に、該端子部に付設した状態で、該端子部の端子列の個々の端子と接触するように、同数の接触用ランドを配し、該接続用基板に、適用対象の機器の要求に対応すべく、該接触用ランドの全部又は一部から延長する延長ランドを構成した複合接続装置。
【請求項２】
前記端子部を２列の端子列で構成し、その間隔を前記接続用基板を隙間なく挿入可能な間隔に設定し、前記接続用基板の接触用ランドを、該接続用基板を該２列の端子列の間に挿入した場合に、その両面の個々の端子が接触する部位に配することとした請求項１の複合接続装置。
【請求項３】
前記端子部を１列の端子列とハウジングから該端子列と平行に突出させた対向板部材とで構成し、かつ該端子列と該対向板部材との間隔をその間に前記接続用基板を隙間なく挿入可能な間隔に設定し、前記接続用基板の接触用ランドを、該接続用基板を該１列の端子列と対向板部材との間に挿入した場合に、その端子列と対面する側の面の個々の端子が接触する部位に配することとした請求項１の複合接続装置。
【請求項４】
前記ハウジングの、前記端子列が突出する部位に、該端子列の基部を保持する基部保持部を構成し、
前記接続用基板の、前記端子部に付設した場合に前記端子列に近接する側の辺の一側端に、前記基部保持部と前記円柱状のプラグ部の前記ハウジングより後方に突出する端子部との間の位置決め空間に隙間なく挿入可能な位置決め突片を構成し、該接続用基板の該当する面を前記端子列に接触状態にする場合に、該位置決め突片が該位置決め空間に挿入状態となることにより、前記各接触用ランドに各対応する端子が正確に接触することとなるように構成した請求項１、２又は３の複合接続装置。
【請求項５】
前記接続用基板を、適用対象の機器の要求に対応すべく、その接触用ランドの内、該当する接触用ランド相互を電気的に結合した請求項１、２、３又は４の複合接続装置。
【発明の詳細な説明】
【技術分野】
【０００１】
本発明は、様々な携帯機器でオーディオ信号や種々の制御信号等の授受に用いられる円柱状のプラグ部及び板状のコネクタ部をハウジングを介して一体に結合した複合接続装置に関する。
【背景技術】
【０００２】
この種の複合接続装置は、例えば、小型オーディオ機器に用いられる場合、多くは、円柱状のプラグ部が、オーディオ信号の授受に使用され、板状のコネクタ部が、種々のコントロール信号、例えば、再生、停止、その他の操作のためのコントロール信号の授受用に用いられる。
【０００３】
このような複合接続装置は、適用対象の携帯機器の多機能化と小型化・薄型化の進行に伴って同様に小型化・薄型化が進行し、かつ多極化し、そのためそれらのリード線への接続部である端子の小型化及び多極化も進み、これによって端子列が狭ピッチ化し、個々の端子へのリード線の半田付けによる直接接続が困難になってきている。
【０００４】
より詳しくは、板状のコネクタ部の電極はその本体の両面にほぼ等間隔で相互に平行に配してあり、電極の数が増加すると、当然に、そのピッチは狭くなり、端子側も同様に狭くならざるを得ない。現行の製品で端子間のピッチは概ね０．９ｍｍ程度になっている。そのためそのような狭ピッチの端子に半田付けによってリード線を接続するのは極めて困難になっている。
【０００５】
類似のコネクタに関して、「ピッチ方向に並設された複数のコンタクトと、前記コンタクトを保持固定するインシュレータとを備えたコネクタにおいて、
前記コンタクトは、相手側コネクタと接続する接触部と、前記インシュレータに保持される保持部と、ケーブルと接続する端子部とを有し、
前記端子部は、前記ケーブルが半田付される結線部を備え、且つ前記コンタクトの軸方向においてインシュレータから突出形成され、
前記結線部はコンタクトのピッチ方向で斜めに形成されているコネクタ」（特許文献１）が提案されている。
【０００６】
この特許文献１のコネクタは、端子部を以上のように構成することにより、狭ピッチでありながら、組込の際に隣接するコンタクトとの干渉を回避し、高速伝送を要するコネクタのインピーダンスの整合を図りながら、半田付けの可能なスペースを確保しているとされる。
【０００７】
しかしこのような端子部の構成は、狭ピッチでも一列に配されたコンタクトのそれのためには有効であるとしても二列に配された狭ピッチのコンタクトのそれのためには有効であるとは思われない。二列のコンタクトのための端子部に各々これを採用すると、全体として厚みが増して来る問題があるものと思われる。
【０００８】
【特許文献１】特開２００４−１５８２８８号公報
【発明の開示】
【発明が解決しようとする課題】
【０００９】
本発明は、多極で・狭ピッチに構成されたコネクタ部の端子部の狭ピッチ状態を維持してその大型化を回避しながら個々の端子への間接的なリード線の半田付けによる接続を可能としたプラグ部とコネクタ部とをハウジングで結合した複合接続装置を提供することを解決の課題とする。
【課題を解決するための手段】
【００１０】
本発明の１は、円柱状のプラグ部と板状のコネクタ部とを、同時に各々対応するジャック又はコネクタに接続可能なように絶縁性のハウジングで結合した複合接続装置に於いて、
前記板状のコネクタ部の端子部を、該板状のコネクタ部の複数の電極に対応する同数の端子を１列又は２列に並べて前記ハウジングのプラグ部及びコネクタ部の位置する側と反対側に突出させた１列又は２列の端子列で構成し、
前記端子部に、その１列又は２列の端子列の個々の端子に片面又は両面を接触させるべく、該端子列と平行に向きを設定した接続用基板を付設し、
かつ該接続用基板の片面又は両面に、該端子部に付設した状態で、該端子部の端子列の個々の端子と接触するように、同数の接触用ランドを配し、該接続用基板に、適用対象の機器の要求に対応すべく、該接触用ランドの全部又は一部から延長する延長ランドを構成した複合接続装置である。
【００１１】
本発明の２は、本発明の１の複合接続装置に於いて、前記端子部を２列の端子列で構成し、その間隔を前記接続用基板を隙間なく挿入可能な間隔に設定し、前記接続用基板の接触用ランドを、該接続用基板を該２列の端子列の間に挿入した場合に、その両面の個々の端子が接触する部位に配することとしたものである。
【００１２】
本発明の３は、本発明の１の複合接続装置に於いて、前記端子部を１列の端子列とハウジングから該端子列と平行に突出させた対向板部材とで構成し、かつ該端子列と該対向板部材との間隔をその間に前記接続用基板を隙間なく挿入可能な間隔に設定し、前記接続用基板の接触用ランドを、該接続用基板を該１列の端子列と対向板部材との間に挿入した場合に、その端子列と対面する側の面の個々の端子が接触する部位に配することとしたものである。
【００１３】
本発明の４は、本発明の１、２又は３の複合接続装置に於いて、前記ハウジングの、前記端子列が突出する部位に、該端子列の基部を保持する基部保持部を構成し、
前記接続用基板の、前記端子部に付設した場合に前記端子列に近接する側の辺の一側端に、前記基部保持部と前記円柱状のプラグ部の前記ハウジングより後方に突出する端子部との間の位置決め空間に隙間なく挿入可能な位置決め突片を構成し、該接続用基板の該当する面を前記端子列に接触状態にする場合に、該位置決め突片が該位置決め空間に挿入状態となることにより、前記各接触用ランドに各対応する端子が正確に接触することとなるように構成したものである。
【００１４】
本発明の５は、本発明の１、２、３又は４の複合接続装置に於いて、前記接続用基板を、適用対象の機器の要求に対応すべく、その接触用ランドの内、該当する接触用ランド相互を電気的に結合したものである。
【発明の効果】
【００１５】
本発明の１の複合接続装置によれば、端子部に、その１列又は２列の端子列と平行な向きの接続用基板を配設することにより、該端子列の個々の端子を該接続用基板の片面又は両面の対応する接触用ランドに接触させ、接触用ランドから延長した延長ランドを介してリード線を端子に接続することが可能になる。延長ランドは、その延長部を細幅に構成しかつ個々のそれの長さを種々に設定することにより、各々その延長端を半田付け用拡大部に構成することが可能になり、延長ランドとリード線とは容易に半田付けにより接続することが可能になる。延長ランドは、以上のように、延長端を半田付け用拡大部に構成できるため、リード線を該延長ランドに種々の向きに接続することも可能になる。
【００１６】
以上のように、本発明の１の複合接続装置によれば、端子部の１列又は２列の端子列の個々の端子に、該端子列と平行に配された接続用基板を介してリード線を接続することができるため、該複合接続装置の端子部を含む周辺を小型かつ薄型に構成することが可能になる。
【００１７】
本発明の２の複合接続装置によれば、前記端子部の２列の端子列間に前記接続用基板を挿入すれば、その両面に構成した個々の接触用ランドに該２列の端子列の対応する個々の端子を容易に接触させることができる。それ故、個々の接触用ランドから延長した延長ランドに適用対象の機器の要求に応じてリード線を半田接合すれば、該接続用基板を介して個々の端子とリード線とを容易に電気的に接続することができる。
【００１８】
本発明の３の複合接続装置によれば、１列の端子列と対向板部材との間に前記接続用基板を挿入すれば、その端子列に対面する面に構成した個々の接触用ランドに該１列の端子列の対応する個々の端子を容易に接触させることができる。それ故、個々の接触用ランドから延長した延長ランドに適用対象の機器の要求に応じてリード線を半田接合すれば、該接続用基板を介して個々の端子とリード線とを容易に電気的に接続することができる。
【００１９】
本発明の４の複合接続装置によれば、前記接続用基板を１列又は２列の端子列に接触させる際に、該接続用基板の位置決め突片を前記位置決め空間に挿入することにより、位置決めが正確にできることとなり、該接続用基板の個々の接触用ランドと対応する個々の端子の接触が正確に行われることになる。
【００２０】
本発明の５の複合接続装置によれば、適用対象の機器との関係で、コネクタ部のいくつかの電極がアース等のコモン電極となる場合は、それらから延長した複数の個々の端子が接触する、前記接続用基板の対応する複数の接触用ランドを予め相互に接続し、かつそれらの接触用ランドの内の一つにのみ延長ランドを構成しておき、該延長ランドにリード線を接続することとすることにより、関係する全端子とリード線との接続を簡単に行うことができることになる。
【発明を実施するための最良の形態】
【００２１】
以下、発明を実施するための最良の形態を実施例に基づいて添付図面を参照しつつ詳細に説明する。
【実施例１】
【００２２】
この実施例１の複合接続装置は、図１〜図４に示すように、基本的に、円柱状のプラグ部１と、板状のコネクタ部２と、該プラグ部１及び該コネクタ部２を結合するこれらに直交する向きの絶縁性のハウジング３と、該ハウジング３の後方に突出するプラグ部１の端子部４と、該ハウジング３の後方に突出するコネクタ部２の端子部５と、コネクタ部２の端子部５に配した接続用基板６とで構成したものである。
【００２３】
前記プラグ部１は、オーディオ信号の授受等に使用される公知のそれであり、絶縁性の円筒状本体と、その先端外周に配したチップ電極１ａと、中間部周側に配したリング電極１ｂと、後部側周側に配したスリーブ電極１ｃとで構成し、後部側の端子部４は、それぞれチップ電極１ａから延長した中央端子４ａと、リング電極１ｂから延長した中層端子４ｂと、スリーブ電極１ｃから延長した外層端子４ｃとで構成したものである。該プラグ部１及び端子部４の中間部付近で前記ハウジング３に貫通結合状態になっている。
【００２４】
前記コネクタ部２は、図１(a)、(b)、(d)、図２、図３及び図４に示すように、絶縁性板状のコネクタ本体２ａと、その両面に配された複数の電極２ｂ、２ｂ…とで構成し、後部側の端子部５は、コネクタ部２の各電極２ｂ、２ｂ…から延長した同数の端子５ａ、５ａ…と、それらの基部を支持する基部保持部５ｂとで構成したものである。
【００２５】
前記コネクタ本体２ａは、図１(a)、(b)、(d)、図２、図３及び図４に示すように、四辺形板状で、その基部２ａ１側、即ち、前記ハウジング３に埋込状態に結合する部位付近及び両側部２ａ２、２ａ２の厚みを厚く、その基部２ａ１及び両側部２ａ２、２ａ２に囲まれた内側部分を薄く構成してある。この内側部分には基部２ａ１側から先端側に向かって延びる複数の突条２ａ３、２ａ３…を盛り上がり状態に定間隔で形成し、前記電極２ｂ、２ｂ…は、各々その間の細長凹所に配設する。この実施例１では、コネクタ本体２ａの両面に相互に平行な６本の細長凹所を構成し、該細長凹所の表面に、各々前記電極２ｂ、２ｂ…を一つずつ配したものである。従って電極２ｂ、２ｂ…は、コネクタ本体２ａの両面にそれぞれ６本ずつ平行に並んで配されていることになる。また６本ずつの電極２ｂ、２ｂ…列は、これら相互も平行に配されていることになる。
【００２６】
前記電極２ｂ、２ｂ…は、云うまでもなく、導電性部材で構成し、この実施例１では、各々前記端子部５の対応する個々の端子５ａ、５ａ…と一体に構成したものである。これらは特に弾力性を必須の条件とはしないので、この実施例１では、導電性の剛体金属で構成してある。
【００２７】
前記端子部５は、以上に述べたように、その個々の端子５ａ、５ａ…をコネクタ部２の個々の電極２ｂ、２ｂ…と一体に構成したものであるが、それらの基部は、前記し、図１(a)、(c)、(d)、図２及び図４に示すように、基部保持部５ｂで支持されるようになっている。個々の端子５ａ、５ａ…は、前記コネクタ部２の電極２ｂ、２ｂ…に対応させて６本ずつの二列に配列し、それぞれの端子５ａ、５ａ…列の隣接する端子５ａ、５ａ間の間隔は隣接する電極２ｂ、２ｂ間の間隔より僅かに広げたものとしてある。またこの二つの端子５ａ、５ａ…列間の間隔は、前記接続用基板６をその間に密に装入可能な間隔としてある。
【００２８】
前記基部保持部５ｂは、同図に示すように、前記二つの端子５ａ、５ａ…列の基部を囲んで保持するように、前記ハウジング３の後部側の該当部位を該端子５ａ、５ａ…の突出方向に膨出させて構成したものである。
【００２９】
また、図４に示すように、この基部保持部５ｂは、これと、前記プラグ部１の端子部４の外層端子４ｃとの相互に対面する部位の間の空間を位置決め空間７とし、これによって、後述するように、前記接続用基板６の前記二つの端子５ａ、５ａ…列の間への正確な装入を確保するようにしたものである。
【００３０】
前記接続用基板６は、図１(a)、(c)、(d)、図２、図３及び図４に示すように、長方形を基本とし、その前端辺６ａの一側端に該前端辺６ａに交差する方向に延長する位置決め突片６ｂを構成し、該前端辺６ａと平行な後端辺６ｃの両端には大小の面取り６ｄ、６ｅを施して該接続用基板６の無用の大型化を避けている。また該接続用基板６は、その両面に、該前端辺６ａに近接させて複数の接触用ランド６ｆ、６ｆ…を形成してある。該接触用ランド６ｆ、６ｆ…は、特に図１(a)及び図４に示すように、端子部５の個々の端子５ａ、５ａ…の間隔に対応する間隔で接続用基板６の前端辺６ａに平行に配したものである。表裏の接触用ランド６ｆ、６ｆ…は、適用対象の機器の要求に応じて、その一部を相互に電気的に接続し、かつ必要な一部の接触用ランド６ｆ、６ｆ…から後端辺６ｃ側に向かって延びる延長ランド６ｇ、６ｇ…を構成してある。該延長ランド６ｇ、６ｇ…は、図１(a)及び図４に示すように、接触用ランド６ｆ、６ｆ…に接続する細幅の延長部と該延長部の延長端の半田付け用拡大部とからなる。
【００３１】
前記位置決め突片６ｂは、図１(a)及び図４に示すように、その幅を、前記位置決め空間７にスムーズに、しかし殆ど隙間無く装入可能な寸法とする。
また前記接触用ランド６ｆ、６ｆ…及び延長ランド６ｇ、６ｇ…は、半田付けが容易な導電性金属で構成する。
【００３２】
前記ハウジング３は、図１(a)〜(d)、図２、図３及び図４に示すように、両端が円弧状に構成された絶縁性の板状部材であり、前記プラグ部１及び前記コネクタ部２の中間部付近を貫通状態に結合している。
【００３３】
従ってこの実施例１の複合接続装置によれば、コネクタ部２の端子部５の２列の端子５ａ、５ａ…列の間に接続用基板６を挿入することにより、個々の端子５ａ、５ａ…を該接続用基板６の両面の対応する接触用ランド６ｆ、６ｆ…に容易かつ確実に接触させることができる。なお、この接触用ランド６ｆ、６ｆ…と対応する個々の端子５ａ、５ａ…との確実な接触は、該接続用基板６を、端子部５の２列の端子５ａ、５ａ…列の間に挿入する際に、その前端辺６ａの一側端に構成した位置決め突片６ｂを前記位置決め空間７に挿入することにより、正確な位置決めを確保することができることによる。
【００３４】
リード線の接続は、前記接触用ランド６ｆ、６ｆ…から延長した延長ランド６ｇ、６ｇ…の延長端の半田付け用拡大部に半田付けをすることにより行う。前記のように、前記接触用ランド６ｆ、６ｆ…は、適用する機器の要求に応じて、その表裏の一部のそれら相互を電気的に結合してあり、それ故、延長ランド６ｇ、６ｇ…は、それぞれ結合した接触用ランド６ｆ、６ｆの一つのみから延長すれば良い。また同様に機器の都合により不要な接触用ランド６ｆ、６ｆ…があることもあり、その場合もそのような接触用ランド６ｆ、６ｆ…からは延長ランド６ｇを延長する必要がない。そのため、この実施例１では、図１(a)、図３及び図４に示すように、接続用基板６の見えている側の面では、３本の延長ランド６ｇ、６ｇ、６ｇを延長しているのみである。裏面側も同様である。そのため隣接する延長ランド６ｇ、６ｇ、６ｇ相互間の間隔を広げることが可能になる。
【００３５】
また接続用基板６は、全体として機器のサイズに大きな影響を与えずに、若干前端辺６ａと後端辺６ｃの寸法を伸ばすことが可能であり、これによって複数の延長ランド６ｇ、６ｇ…の半田付け用拡大部の位置を前後方向（前端辺６ａと後端辺６ｃに直交する方向）
にずらすことが可能になる。
【００３６】
従って延長ランド６ｇ、６ｇ…は、余裕を持ってその半田付け用拡大部を構成することが可能となり、リード線を自由に種々の向きに接続することも可能になる。
【００３７】
以上のように、この実施例１の複合接続装置によれば、端子部５の２列に配した個々の端子５ａ、５ａ…に、その間に挿入した接続用基板６を介してリード線を接続することが可能になるため、相互の確実な接続を確保しながら該複合接続装置の端子部５を含む周辺を小型かつ薄型に構成することが可能になる。
【００３８】
また個々の端子５ａ、５ａ…と対応する個々の接触用ランド６ｆ、６ｆ…との接合は、通常端子５ａ、５ａ…列の間に接続用基板６を挿入した後は、何らかの手段でその周囲が被覆され、それらの被覆部材で抑え付けられることになるため、確実なものとなり、端子５ａ、５ａ…が剛性の金属導体で構成されていても電気的な接続は確実に行われることになる。
【００３９】
なお、接合させた個々の接触用ランド６ｆ、６ｆ…と対応する個々の端子５ａ、５ａ…とは、更に半田付けによって確実に接合接続するようにしても良い。この場合は、リード線を、接触用ランド６ｆ、６ｆ…又は端子５ａ、５ａ…に載せて半田付けするような場合とは異なり、両者の厚みが薄いので、狭ピッチであっても不都合なく半田付けをすることができる。
【００４０】
なお又この実施例１の複合接続装置では、接触用ランド６ｆ、６ｆ…相互の電気的接続関係や延長ランド６ｇ、６ｇ…の構成の異なる接続用基板６と交換することで、種々の機器類に対応可能である。
【実施例２】
【００４１】
この実施例２の複合接続装置は、図５及び図６に示すように、実施例１とは、そのコネクタ部２の端子部５と異なる端子部１５及び接続用基板１６を有する点が異なり、それ以外は全て同一である。従って以下にはコネクタ部２の端子部１５及び接続用基板１６についてのみ説明する。なお、図中、実施例１の対応する構成要素と同一の構成の構成要素には同一の符号を付してある。
【００４２】
前記端子部１５は、その個々の端子１５ａ、１５ａ…をコネクタ部２の個々の電極２ｂ、２ｂ…と一体に構成したものであるが、図５及び図６に示すように、それらの端子１５ａ、１５ａ…はハウジング３のコネクタ部２と反対側の面から横一列、即ち、ハウジング３の長さ方向に沿って一列に並べて突出させたものである。該端子１５ａ、１５ａ…は、同図に示すように、実施例１の端子５ａ、５ａ…より、それら自体を細幅に構成すると共に、狭ピッチで配し、該端子１５ａ、１５ａ…列には、同図に示すように、これらに平行に、ハウジング３から対向板（対向板部材）１５ｂを突出させたものである。該対向板１５ｂは、同図に示すように、該端子１５ａ、１５ａ…列より若干幅広に、かつ若干長く突出させたものである。また該対向板１５ｂと該端子１５ａ、１５ａ…列との間隔は前記接続用基板１６の厚みに対応させ、この間に該接続用基板１６を緩みなく装入可能にしたものである。
【００４３】
なお、以上の端子部１５を構成する端子１５ａ、１５ａ…列及び対向板１５ｂの基部は、図５及び図６に示すように、基部保持部１５ｃで支持されるようになっている。該基部保持部１５ｃは、同図に示すように、端子１５ａ、１５ａ…列及び対向板１５ｂの基部を囲んで保持するように、ハウジング３の該当部位を該端子１５ａ、１５ａ…及び対向板１５ｂの突出方向に膨出させて構成したものである。
【００４４】
また、図５に示すように、この基部保持部１５ｃは、実施例１の基部保持部５ｂと同様に、これと、前記プラグ部１の端子部４の外層端子４ｃとの相互に対面する部位の間の空間を位置決め空間１７とし、これによって、後述するように、前記接続用基板１６の前記端子１５ａ、１５ａ…列と前記対向板１５ｂとの間への正確な装入を確保するようにしている。
【００４５】
前記接続用基板１６は、図５及び図６に示すように、長方形を基本とし、その前端辺１６ａの一側端に該前端辺１６ａに交差する方向に延長する位置決め突片１６ｂを構成し、該前端辺１６ａと平行な後端辺１６ｃの両端には大小の面取り１６ｄ、１６ｅを施して該接続用基板１６の無用の大型化を避けている。また該接続用基板１６は、その片面、図５中では上面に、該前端辺１６ａに近接させて複数の接触用ランド１６ｆ、１６ｆ…を形成してある。該接触用ランド１６ｆ、１６ｆ…は、特に図５に示すように、端子部１５の個々の端子１５ａ、１５ａ…の間隔に対応する間隔で接続用基板１６の前端辺１６ａに平行に配したものである。以上の接触用ランド１６ｆ、１６ｆ…は、適用対象の機器の要求に応じて、その一部を相互に電気的に接続し、かつ必要な他の一部の接触用ランド１６ｆ、１６ｆ…から後端辺１６ｃ側に向かって延びる延長ランド１６ｇ、１６ｇ…を構成しておく。該延長ランド１６ｇ、１６ｇ…は、細幅の接続部と延長端の半田付け用拡大部からなる。また一部の接触用ランド１６ｆ、１６ｆ…の適用対象の機器の要求に応じた電気的接続は、この実施例２では、接続用基板１６の裏面側で行っている。
【００４６】
前記位置決め突片１６ｂは、図５に示すように、その幅を、前記位置決め空間１７にスムーズに、しかし殆ど隙間無く装入可能な寸法とする。
また前記接触用ランド１６ｆ、１６ｆ…及び延長ランド１６ｇ、１６ｇ…は、半田付けが容易な導電性金属で構成したものである。
【００４７】
従ってこの実施例２の複合接続装置によれば、コネクタ部２の端子部１５の端子１５ａ、１５ａ…列と対向板１５ｂとの間に接続用基板１６を挿入することにより、個々の端子１５ａ、１５ａ…を該接続用基板１６の対応する個々の接触用ランド１６ｆ、１６ｆ…に容易かつ確実に接触させることができる。この接触用ランド１６ｆ、１６ｆ…と対応する個々の端子１５ａ、１５ａ…との確実な接触は、該接続用基板１６を、端子部１５の端子１５ａ、１５ａ…列と対向板１５ｂとの間に挿入する際に、その前端辺１６ａの一側端に構成した位置決め突片１６ｂを前記位置決め空間１７に挿入することにより、その正確な位置決めを確保することで実行できる。
【００４８】
リード線の接続は、前記接触用ランド１６ｆ、１６ｆ…から延長した延長ランド１６ｇ、１６ｇ…の半田付け用拡大部に半田付けをすることで行う。前記のように、前記接触用ランド１６ｆ、１６ｆ…は、適用する機器の要求に対応すべく、その一部のそれが相互に電気的に結合してあり、それ故、延長ランド１６ｇ、１６ｇ…は、それぞれ相互に結合した接触用ランド１６ｆ、１６ｆ…の一つのみから延長すれば良い。また同様に機器の都合により不要な接触用ランド１６ｆ、１６ｆ…があることもあり、その場合もそのような接触用ランド１６ｆ、１６ｆ…からは延長ランド１６ｇを延長する必要はない。そのため、この実施例２では、図５に示すように、端子数より少し少ない８本の延長ランド１６ｇ、１６ｇ…が延長されているのみである。そのため隣接する相互間の間隔を広げることが可能になる。
【００４９】
更に接続用基板１６は、実施例１と同様に、全体として機器のサイズに大きな影響を与えずに、若干前端辺１６ａと後端辺１６ｃの寸法を伸ばすことが可能であり、この実施例２でもそのようにした。そのため複数の延長ランド１６ｇ、１６ｇ…の半田付け用拡大部の位置を交互に前後方向にずらすことが可能になり、余裕を持って該半田付け用拡大部を構成できたものである。その結果、該延長ランド１６ｇ、１６ｇ…の半田付け用拡大部は十分な広さを確保可能になり、これらへのリード線の接続を自由な向きで行うことが可能になったものである。
【００５０】
以上のように、この実施例２の複合接続装置によれば、端子部１５の個々の端子１５ａ、１５ａ…に、端子１５ａ、１５ａ…列と対向板１５ｂの間に挿入した接続用基板１６を介してリード線を接続することができるため、相互の確実な接続を確保しながら該複合接続装置の端子部１５を含む周辺を小型かつ薄型に維持することが可能になる。
【００５１】
また個々の端子１５ａ、１５ａ…と対応する個々の接触用ランド１６ｆ、１６ｆ…とは、実施例１の場合と同様に、通常、端子１５ａ、１５ａ…と対向板１５ｂの間に接続用基板１６を挿入した後に、何らかの手段でそれらの周囲が被覆され、それらの被覆部材で抑え付けられることになる。そのため、該端子１５ａ、１５ａ…と対応する個々の接触用ランド１６ｆ、１６ｆ…との接合は確実なものとなり、端子１５ａ、１５ａ…が剛性の金属導体で構成されていても両者の電気的な接続が損なわれることはない。
【００５２】
なお、接合させた個々の接触用ランド１６ｆ、１６ｆ…と対応する個々の端子１５ａ、１５ａ…とは、当然、更に半田付けによって確実に接合接続するようにしても良い。この場合は、リード線を、接触用ランド１６ｆ、１６ｆ…又は端子１５ａ、１５ａ…に載せて半田付けするような場合とは異なり、両者の厚みが薄いので、狭ピッチであっても不都合無く半田付けをすることができる。実施例１と云うまでもなく同様である。
【００５３】
なお又この実施例２の複合接続装置では、実施例１のそれと同様に、接触用ランド１６ｆ、１６ｆ…相互の電気的接続関係や延長ランド１６ｇ、１６ｇ…の構成の異なる接続用基板１６と交換することで、種々の機器類に対応可能である。
【図面の簡単な説明】
【００５４】
【図１】(a)は実施例１の複合接続装置の正面図、(b)は(a)の左側面図、(c)は(a)の右側面図、(d)は(a)の底面図。
【図２】図１(a)のＡ−Ａ線断面図。
【図３】実施例１の複合接続装置の斜視図。
【図４】実施例１の複合接続装置の接続用基板を取り外した状態の正面図。
【図５】実施例２の複合接続装置の正面図。
【図６】実施例２の複合接続装置の底面図。
【符号の説明】
【００５５】
１    プラグ部
１ａ  チップ電極
１ｂ  リング電極
１ｃ  スリーブ電極
２    コネクタ部
２ａ  コネクタ本体
２ａ１  コネクタ本体の基部
２ａ２  コネクタ本体の両側部
２ａ３  コネクタ本体の突条
２ｂ  電極
３    ハウジング
４    プラグ部の端子部
４ａ  中央端子
４ｂ  中層端子
４ｃ  外層端子
５    コネクタ部の端子部
５ａ  端子
５ｂ  基部保持部
６    接続用基板
６ａ  接続用基板の前端辺
６ｂ  接続用基板の位置決め突片
６ｃ  接続用基板の後端辺
６ｄ  接続用基板の面取り
６ｅ  接続用基板の面取り
６ｆ  接触用ランド
６ｇ  延長ランド
７    位置決め空間
１５  コネクタ部の端子部
１５ａ  端子
１５ｂ  対向板（対向部材）
１５ｃ  基部保持部
１６  接続用基板
１６ａ  接続用基板の前端辺
１６ｂ  接続用基板の位置決め突片
１６ｃ  接続用基板の後端辺
１６ｄ  接続用基板の面取り
１６ｅ  接続用基板の面取り
１６ｆ  接触用ランド
１６ｇ  延長ランド
１７  位置決め空間
【図１】
2010009749.tif 000003
【図２】
2010009749.tif 000004
【図３】
2010009749.tif 000005
【図４】
2010009749.tif 000006
【図５】
2010009749.tif 000007
【図６】
2010009749.tif 000008